(57)【要約】【課題】  ディスク装置内にディスクの誤挿入を防止すると共にディスクの挿入されていることを、目視にて簡単に認識することが可能な実用性に優れたディスク装置およびそれを備えた電子機器を提供する。【解決手段】  本体フレーム２内にディスクＤの挿入されたディスクＤの再生状態時に、本体フレーム２内に新たに別のディスクが誤挿入されることを防止する傾斜される開口部３の形成された開口部材４を本体フレーム２に設ける。これにより、本体フレーム２内に新たなディスクの誤挿入を防止することができると共に、傾斜された開口部材４を目視により確認し、本体フレーム２内にディスクＤの挿入されていることの有無を簡単に確認することができる。【選択図】    図７
2006155696.tif 000002
【特許請求の範囲】
【請求項１】
ディスクの挿入される本体フレームと、この本体フレーム内に前記ディスクを挿入する開口部の形成された開口部材と、前記本体フレーム内で前後に移動されるラックローディングとを備えたディスク装置であって、前記ラックローディングに形成される案内溝に前記開口部材に形成された凸部を挿入させると共に、前記開口部材を前記本体フレームに回動自在に枢支させ、前記本体フレーム内に前記ディスクの挿入された前記ディスクの再生状態時に、前記ラックローディングが後退移動され、この後退移動に連動して前記案内溝に挿入された凸部が案内溝に沿ってスライド移動され、この凸部のスライド移動に連動して回動され傾斜される前記開口部材を前記ディスク装置の前面に組み付けたことを特徴とするディスク装置。
【請求項２】
前記ディスクの再生時に出力される出力データに基づいて映像を表示する表示部を有することを特徴とする請求項１記載のディスク装置を備えた電子機器。
【発明の詳細な説明】
【技術分野】
【０００１】
本発明は、装置内部に直接ディスクを搬入／搬出可能なディスク装置およびそれを備えた電子機器に関し、特に、ディスク装置内部にディスクを挿入した状態にある時に、新たに別のディスクの誤挿入を防止するディスク装置およびそれを備えた電子機器に関する。
【背景技術】
【０００２】
従来から、ＣＤ−Ｒなどの平板状のディスクを挿入し、音声や映像などのデータの記録や再生を可能とするディスク装置の内蔵されたテレビジョン受像機などの電子機器が用いられている。近年においては、部品点数の削減などの為、ディスクをトレイに載置してディスク装置の所定の位置にディスクを搬入するトレイ方式と異なる、ディスク装置にディスクを直接挿入する、いわゆるスロットイン方式のディスク装置が普及してきている。
【０００３】
しかし、このようなスロットイン方式のディスク装置においては、ディスク装置の前面に設けられたディスクの厚さより僅かに幅広な開口部からディスクをディスク装置内に挿入することから、一旦ディスク装置内にディスクが所定の位置に配置されてしまうと、例えば、ユーザーが、後々になってディスクの挿入の有無を確認したい際、ディスクを搬出するイジェクトボタンなどの操作を行わなければ、ディスク装置内にディスクが配置されているのかを確認することができず、その操作がとても煩わしいものであった。また、前述したスロットイン方式のディスク装置においては、ディスク装置内にディスクが配置されているのか否かに係らずディスクの一部分などが開口部から常に挿入できることが一般的であることから、ディスクがディスク装置内に配置されている状態にある時に、さらに別のディスクをディスク装置内に挿入しようとすると、ディスク装置内部の部材や、或いは挿入されているディスクに、新たに挿入しようとした別のディスクが接触してディスクの表面に傷が付いてしまうといった課題を有していた。このような課題を解決するために特許文献１には、ディスクを挿入・搬出する挿入・搬出口を閉鎖する誤挿入防止部材が設けられたディスク装置が開示されており、また、特許文献２には、ディスクが装置内に２重に装填されることを防止したディスク保護装置が開示されている。
【０００４】
【特許文献１】特開２００１−３３１９９９号公報
【特許文献２】実開平６−１１１４１号公報
【発明の開示】
【発明が解決しようとする課題】
【０００５】
本発明は、上記問題点を鑑みてなされたもので、ディスクの誤挿入を防止すると共に、ディスク装置内にディスクの挿入されていることを、目視にて簡単に認識することが可能なディスク装置およびそれを備えた電子機器を提供することを目的とする。
【課題を解決するための手段】
【０００６】
本発明の請求項１のディスク装置は、ディスクの挿入される本体フレームと、この本体フレーム内に前記ディスクを挿入する開口部の形成された開口部材と、前記本体フレーム内で前後に移動されるラックローディングとを備えたディスク装置であって、前記ラックローディングに形成される案内溝に前記開口部材に形成された凸部を挿入させると共に、前記開口部材を前記本体フレームに回動自在に枢支させ、前記本体フレーム内に前記ディスクの挿入された前記ディスクの再生状態時に、前記ラックローディングが後退移動され、この後退移動に連動して前記案内溝に挿入された凸部が案内溝に沿ってスライド移動され、この凸部のスライド移動に連動して回動され傾斜される前記開口部材を前記ディスク装置の前面に組み付けたことを特徴とする。
【０００７】
請求項１の構成により、本体フレーム内にディスクの挿入されたディスクの再生状態時に、本体フレーム内に開口部から新たに別のディスクを誤まって挿入されないように開口部が傾斜されるので、本体フレーム内へのディスクの誤挿入を防止することができる。しかも、ディスク装置の前面に組み付けた開口部材が、本体フレーム内にディスクの挿入されたディスクの再生状態時には傾斜されるので、ユーザーなどが、この傾斜された開口部材を目視により確認し、本体フレーム内のディスクの挿入の有無を簡単に確認することが可能となる。
【０００８】
本発明の請求項２のディスク装置を備えた電子機器は、請求項１記載のディスク装置において、前記ディスクの再生時に出力される出力データに基づいて映像を表示する表示部を有することを特徴とする。
【０００９】
請求項２の構成により、ディスクの再生を行うディスク装置を、例えば、テレビジョン受像機などの表示部を有する電子機器に備えるので、一般的に普及しているテレビジョン受像機などの電子機器にディスク装置を備えることにより実用性が向上する。
【発明の効果】
【００１０】
本発明の請求項１のディスク装置によれば、ディスクの挿入される本体フレームと、この本体フレーム内に前記ディスクを挿入する開口部の形成された開口部材と、前記本体フレーム内で前後に移動されるラックローディングとを備えたディスク装置であって、前記ラックローディングに形成される案内溝に前記開口部材に形成された凸部を挿入させると共に、前記開口部材を前記本体フレームに回動自在に枢支させ、前記本体フレーム内に前記ディスクの挿入された前記ディスクの再生状態時に、前記ラックローディングが後退移動され、この後退移動に連動して前記案内溝に挿入された凸部が案内溝に沿ってスライド移動され、この凸部のスライド移動に連動して回動され傾斜される前記開口部材を前記ディスク装置の前面に組み付けたものであり、ディスクの誤挿入によるディスクの破損を防止することができ、開口部材が傾斜されていることを目視により確認し、本体フレーム内にディスクが挿入されていることを一目して簡単に確認することが可能となる。
【００１１】
本発明の請求項２のディスク装置を備えた電子機器によれば、請求項１記載のディスク装置において、前記ディスクの再生時に出力される出力データに基づいて映像を表示する表示部を有するので、一般的に普及しているテレビジョン受像機やパソコン等のモニターなどの電子機器にディスク装置を備えれば、実用性に優れた電子機器を提供することができる。
【発明を実施するための最良の形態】
【００１２】
以下、図１〜図７を参照しながら、本発明を実施するための最良の形態としての実施例を説明する。
【００１３】
図１は本発明のディスク装置の斜視図、図２はディスク装置にディスクを挿入した状態を示す斜視図、図３はディスク装置の概略構成を示す断面図、図４はディスク装置の正面図、図５はディスク装置にディスクを挿入する状態を示す断面図、図６はディスク装置にディスクを挿入して開口部材が傾斜された状態を示す断面図、図７はディスク装置にディスクを挿入する際の動作を示す説明図である。
【００１４】
ディスク装置１は、その全体形状がほぼ箱型の本体フレーム２によって形成されており、その前面にはディスクＤの挿入及び排出のされる水平な開口部３が形成されている。開口部３は、本体フレーム２に取り付けられディスク装置１の外形の一部を構成する開口部材４に形成されており、この開口部材４の両側端から後方にかけて延設された支持部５には、この支持部５から外方向に突出した円柱状の一対のボス６を形成し、本体フレーム２に形成された凹状の係合部８にボス６が枢支されることで、ボス６を支点として本体フレーム２に対して開口部材４が回動するように取り付けられている。
【００１５】
また、本体フレーム２の内部で前後に進退移動されるラックローディング１０には、案内溝１１が形成され、案内溝１１に支持部５の一端側に形成された前記凸部９がスライド自在に挿通されており、図７の（ａ）に示すディスク装置１にディスクＤの全体が挿入されていない、開口部３が水平に配置されているディスクの挿入可能状態から、例えば、ディスクＤを再生や記録などをする為に、ディスク装置１内である本体フレーム２内の所定の位置に挿入すると、ラックローディング１０が図示しない駆動モータなどの駆動手段によって後退移動（図７の（ｂ）に示す状態）される。つまり、図７の（ａ）に示す本体フレーム２内の所定の位置にディスクＤの未挿入状態から、ラックローディング１０の後退移動にしたがって、凸部９は案内溝１１に沿ってその後部に最終的に移動される（図７の（ｂ）に示す状態）。この時、開口部材４は、ボス６を支点として回動され、水平に配置された開口部３は傾斜される。このような、ディスク装置１内にディスクの挿入されているディスクの再生可能な状態にある時には、開口部３が本体フレーム２に対して傾斜されるので、この傾斜された開口部３から平板状のディスクＤをディスク装置１内に水平方向に挿入しようとしても、本体フレーム２内の内壁面や各種部材などに接触されるので、ディスク装置１内にディスクの誤挿入されることを防止できると共に開口部３の形成されたディスク装置１の外形を形成する開口部材４が傾斜されることで、ユーザーなどは、ディスクＤがディスク装置１に挿入されていることを一目して確認することができるようになっており、従来のディスクの再生を行う装置のように、ディスクＤを装置内に挿入しようとしてから、ディスクＤの挿入できないことを認識するのみではなく、開口部材４の傾斜を目視によって確認し、未然に本体フレーム２内にディスクＤが挿入されていることの有無を簡単に認識することができるので、例えば、ディスクＤがディスク装置１内に挿入状態にある時に、ディスク装置１に別のディスクＤを新たに挿入しようとして、傷のつき易いディスクＤの表面が本体フレーム２内の各種部材や装置などに接触し、傷が付いてしまうといった破損を回避することが可能となる。なお、前記案内溝１１は、図７の（ａ）及び（ｂ）に示すように、傾斜部１１ａとこの傾斜部１１ａの両端から水平方向に延設された平行部１１ｂとからなり、ボス６を支点として開口部材４の回動に伴う凸部９の高さ方向に移動する軌道に対応してスムーズに案内溝１１の傾斜部１１ａに沿って凸部９が移動できるようになっているので、案内溝１１と凸部９との上下の隙間は極めて小さくでき、ラックローディング１０の進退移動に伴う開口部材４の回動動作を、ガタつきなどを極力抑えた状態でスムーズに行うことが可能となっている。
【００１６】
また、ディスク装置１には、開口部３からディスクＤの一部が挿入された時に、ディスクＤの挿入／排出（搬入／搬出）をする図示しないローラーと、本体フレーム２内部に挿入されたディスクＤが載置され回転するターンテーブル２０と、ターンテーブル２０により回転されるディスクＤからデータなどの情報の読み込み或いはディスクＤへの情報の書き込みを行うピックアップユニット２１と、ターンテーブル２０及びピックアップユニット２１を組み付けたトラバースユニット２２と、トラバースユニット２２を傾動させると共に本体フレーム２内部で進退移動する前述したラックローディング１０とを主要な構成としている。
【００１７】
以上のような本実施例に係るディスク装置１によれば、ディスクＤの挿入される本体フレーム２と、この本体フレーム２内に水平にディスクＤを挿入する開口部３の形成された開口部材４と、本体フレーム２内で前後に移動されるラックローディング１０とを備え、ラックローディング１０に形成される案内溝１１に開口部材４の支持部５に形成された凸部９を挿入させると共に、開口部材４を本体フレーム２に回動自在に枢支させ、本体フレーム２内にディスクＤの挿入された、例えば、ディスクＤの再生や記録可能な状態の時に、図示しない駆動モータなどの駆動手段によりラックローディング１０がディスク装置１の後方に後退移動（図７の（ｂ）に示す左側）され、この後退移動に連動して案内溝１１に挿入された凸部９が案内溝１１に沿ってスライド移動され、この凸部９のスライド移動に連動して回動され傾斜される開口部材４をディスク装置１の前面に組み付けたものである。これにより、本体フレーム２内に挿入されたディスクＤの再生や記録可能な状態の時に、新たに別のディスクを、本体フレーム２内に開口部３から誤まって挿入されないように開口部３が傾斜されるので、本体フレーム２内にディスクを新たに挿入できなくなり、本体フレーム２内へのディスクＤの誤挿入を防止することができる。しかも、ディスク装置１の前面に組み付けた開口部材４が、本体フレーム２内にディスクＤの挿入された、ディスクの再生状態時には傾斜されるので、ユーザーなどが、この傾斜された開口部材４を目視により確認し、本体フレーム２内にディスクＤが挿入されていることの有無を簡単に確認することが可能となる。さらに、図示は省略するが、ディスク装置１を、テレビジョン受像機やパソコンのモニターなどの映像を表示可能な表示部を有する電子機器に備えれば、ディスクＤの再生時に出力される出力データに基づいて映像を表示部で表示でき実用性に優れた電子機器をユーザーに提供することができる。しかも、電子機器の外形を形成するキャビネットの前面や側面などに開口部材４が配置されるようにディスク装置１を配置すれば、開口部材４を外部から目視により確認でき、開口部材４が傾斜された状態においては、ディスク装置１の本体フレーム２内のディスクＤの挿入の有無を簡単に確認することが可能となる。
【００１８】
以上、本発明の実施例を詳述したが、本発明は前記実施例に限定されるものではなく、本発明の要旨の範囲内で種々の変形実施が可能である。例えば、ディスク装置１をテレビジョン受像機やパソコン等のモニターの表示部を有する電子機器の他に、ビデオデッキなどの電子機器に備えてもよく、また、ディスク装置を自動車などのいわゆるカーステレオとして設けるなど、適宜選定することができる。
【図面の簡単な説明】
【００１９】
【図１】本発明の一実施例のディスク装置を示す斜視図である。
【図２】同上、ディスク装置にディスクを挿入した状態を示す斜視図である。
【図３】同上、ディスク装置の概略構成を示す断面図である。
【図４】同上、ディスク装置の正面図である。
【図５】同上、ディスク装置にディスクを挿入する状態を示す概略断面図である。
【図６】同上、ディスク装置にディスクを挿入して開口部材が傾斜された状態を示す概略断面図である。
【図７】同上、ディスク装置にディスクを挿入する際の動作を示す説明図であり、図７の（ａ）はディスク装置にディスクの挿入する際の説明図であり、図７の（ｂ）はディスク装置にディスクを挿入した状態を示す説明図である。
【符号の説明】
【００２０】
１  ディスク装置
２  本体フレーム
３  開口部
４  開口部材
９  凸部
１０  ラックローディング
１１  案内溝
Ｄ  ディスク
【図１】
2006155696.tif 000003
【図２】
2006155696.tif 000004
【図３】
2006155696.tif 000005
【図４】
2006155696.tif 000006
【図５】
2006155696.tif 000007
【図６】
2006155696.tif 000008
【図７】
2006155696.tif 000009